(57)【特許請求の範囲】
【請求項１】
ベースプレートを有するキャリッジと、
第１の方向に並ぶ複数の開口が形成され、前記ベースプレートに支持されたヘッドプレートと、
それぞれ前記第１の方向と垂直な第２の方向に並ぶ複数のノズルを有し、前記ヘッドプレートの前記開口に取り付けられ、前記ノズルが前記開口を介して外部に露出した複数の記録ヘッドと、
前記ベースプレートと前記ヘッドプレートとの間に介在し、前記ヘッドプレートを前記ベースプレートに回転自在に支持する回転軸と、
前記ヘッドプレートを前記ベースプレートに対して前記回転軸周りに回転させることにより、前記記録ヘッドの前記ベースプレートに対する位置を調整する調整ねじと、を備え、
前記回転軸の少なくとも一部および前記調整ねじの少なくとも一部は、前記複数の開口のうち最も前記第２方向の一端側に位置する部分よりも他端側に配置され、かつ、前記複数の開口のうち最も前記第２方向の他端側に位置する部分よりも一端側に配置され、
前記調整ねじの一部は、前記第２の方向に関して、前記回転軸と揃った位置に配置されている、インクジェットヘッド。
【請求項２】
前記複数の開口は、前記第２方向に関して揃った位置に配置されている、請求項１に記載のインクジェットヘッド。
【請求項３】
前記回転軸は、前記複数の開口のうち前記第１の方向の最も一端側に位置する開口よりも前記一端側に配置されている、請求項１または２に記載のインクジェットヘッド。
【請求項４】
ベースプレートを有するキャリッジと、
第１の方向に並ぶ複数の開口が形成され、前記ベースプレートに支持されたヘッドプレートと、
それぞれ前記第１の方向と垂直な第２の方向に並ぶ複数のノズルを有し、前記ヘッドプレートの前記開口に取り付けられ、前記ノズルが前記開口を介して外部に露出した複数の記録ヘッドと、
前記ベースプレートと前記ヘッドプレートとの間に介在し、前記ヘッドプレートを前記ベースプレートに回転自在に支持する回転軸と、
前記ヘッドプレートを前記ベースプレートに対して前記回転軸周りに回転させることにより、前記記録ヘッドの前記ベースプレートに対する位置を調整する調整ねじと、
前記ベースプレートおよび前記ヘッドプレートの一方に設けられた当接部材と、
前記ベースプレートおよび前記ヘッドプレートの他方に形成され、前記調整ねじの一部が前記当接部材に向けて突出するように前記調整ねじが挿入されたねじ孔と、
前記ねじ孔に挿入された前記調整ねじが前記当接部材に当接するように前記ヘッドプレートを付勢するばねと、を備え、
前記回転軸の少なくとも一部および前記調整ねじの少なくとも一部は、前記複数の開口のうち最も前記第２方向の一端側に位置する部分よりも他端側に配置され、かつ、前記複数の開口のうち最も前記第２方向の他端側に位置する部分よりも一端側に配置されている、インクジェットヘッド。
【請求項５】
前記当接部材は、前記調整ねじが当接する当接面と、前記当接面の裏面から突出する第１の軸とを有し、前記ベースプレートに設けられ、
前記ねじ孔は、前記ヘッドプレートのうち前記当接部材の前記当接面に対向する部分に形成され、
前記ヘッドプレートのうち前記第１の軸と対向する部分に、前記第１の軸に向けて延びる第２の軸が設けられ、
前記ばねは、前記第１の軸と前記第２の軸とに取り付けられたコイルばねからなっている、請求項４に記載のインクジェットヘッド。
【請求項６】
前記ヘッドプレートには、
前記複数の開口のうち前記第１の方向の最も一端側の端部よりも前記一端側、かつ、前記複数の開口のうち前記第２の方向の最も一端側の端部よりも前記一端側に位置する第１の孔と、
前記複数の開口のうち前記第１の方向の最も他端側の端部よりも前記他端側、かつ、前記複数の開口のうち前記第２の方向の最も一端側の端部よりも前記一端側に位置する第２の孔と、
前記複数の開口のうち前記第１の方向の最も一端側の端部よりも前記一端側、かつ、前記複数の開口のうち前記第２の方向の最も他端側の端部よりも前記他端側に位置する第３の孔と、
前記複数の開口のうち前記第１の方向の最も他端側の端部よりも前記他端側、かつ、前記複数の開口のうち前記第２の方向の最も他端側の端部よりも前記他端側に位置する第４の孔と、が形成され、
前記ベースプレートと前記ヘッドプレートとは、前記第１、第２、第３、および第４の孔に挿入された固定具によって固定されている、請求項１〜５のいずれか一つに記載のインクジェットヘッド。
【請求項７】
請求項１〜６のいずれか一つに記載のインクジェットヘッドと、
前記インクジェットヘッドを摺動自在に支持するレールと、
前記インクジェットヘッドに連結され、前記インクジェットヘッドを前記レールに沿って移動させる駆動装置と、
を備えたプリンタ。
【発明の詳細な説明】
【技術分野】
【０００１】
本発明は、インクを吐出するインクジェットヘッドおよびそれを備えたプリンタに関する。
【背景技術】
【０００２】
従来から、主走査方向に移動するキャリッジと、キャリッジに搭載された複数の記録ヘッドとを有するインクジェットヘッドを備えたプリンタが知られている。記録ヘッドは主走査方向に並んでおり、各記録ヘッドは、主走査方向と垂直な副走査方向に並ぶ複数のノズルを有する。このようなプリンタでは、キャリッジが主走査方向に移動しながら記録ヘッドが記録媒体に向かってインクを吐出することにより、印刷を行う。
【０００３】
ところで、記録ヘッドのノズルが並ぶ方向（以下、ノズル列方向という）が副走査方向から傾いていると、印刷の精度が低下する。そこで、特許文献１には、キャリッジに対する記録ヘッドの位置を調整する位置調整機構を設けることが提案されている。
【０００４】
特許文献１に開示された位置調整機構は、複数の記録ヘッドが取り付けられるヘッドプレートと、ヘッドプレートを支持するサブキャリッジと、を備えている。サブキャリッジの左前端部には旋回軸（以下、回転軸という）が設けられ、ヘッドプレートの左前端部には、回転軸が係合する切り欠き部が形成されている。サブキャリッジの右前端部には、ヘッド調整ねじが設けられている。上記位置調整機構では、ヘッド調整ねじを回転させるとヘッドプレートが回転軸を中心に回転し、サブキャリッジに対するヘッドプレートの位置が変更される。ヘッド調整ねじを操作することにより、複数の記録ヘッドのキャリッジに対する相対位置を一括して調整可能となっている。
【先行技術文献】
【特許文献】
【０００５】
【特許文献１】特開２００７−２７６２８８号公報
【発明の概要】
【発明が解決しようとする課題】
【０００６】
しかし、上記位置調整機構では、回転軸がサブキャリッジの左前端部に設けられているので、ヘッド調整ねじの操作量に対する記録ヘッドの位置の変化量が、記録ヘッドの位置によって大きく異なる場合がある。すなわち、ヘッド調整ねじを同じ量だけ操作しても、記録ヘッドの位置が大きく変化する場合と、小さく変化する場合とがある。そのため、ヘッド調整ねじの操作に対する記録ヘッドの位置変化の追従性が良好ではなく、位置調整の作業が必ずしも容易とは言い難かった。
【０００７】
本発明はかかる点に鑑みてなされたものであり、その目的は、複数の記録ヘッドのキャリッジに対する位置を一括して調整可能であって、その位置調整が容易なインクジェットヘッドを提供することである。
【課題を解決するための手段】
【０００８】
本発明に係るインクジェットヘッドは、ベースプレートを有するキャリッジと、第１の方向に並ぶ複数の開口が形成され、前記ベースプレートに支持されたヘッドプレートと、それぞれ前記第１の方向と垂直な第２の方向に並ぶ複数のノズルを有し、前記ヘッドプレートの前記開口に取り付けられた複数の記録ヘッドと、前記ベースプレートと前記ヘッドプレートとの間に介在し、前記ヘッドプレートを前記ベースプレートに回転自在に支持する回転軸と、前記ヘッドプレートを前記ベースプレートに対して前記回転軸周りに回転させることにより、前記記録ヘッドの前記ベースプレートに対する位置を調整する調整ねじと、を備え、前記回転軸の少なくとも一部および前記調整ねじの少なくとも一部は、前記複数の開口のうち最も前記第２方向の一端側に位置する部分よりも他端側に配置され、かつ、前記複数の開口のうち最も前記第２方向の他端側に位置する部分よりも一端側に配置されているものである。
【０００９】
上記インクジェットヘッドによれば、調整ねじを操作することにより、ベースプレートに対するヘッドプレートの前記回転軸周りの位置が変更され、記録ヘッドのベースプレートに対する位置が調整される。回転軸の少なくとも一部および調整ねじの少なくとも一部は、複数の開口のうち最も第２方向の一端側に位置する部分よりも他端側に配置され、かつ、複数の開口のうち最も第２方向の他端側に位置する部分よりも一端側に配置されているので、調整ねじの操作量に対する記録ヘッドの位置の変化量は、記録ヘッドの位置に拘わらず比較的一定に保たれる。そのため、調整ねじの操作に対する記録ヘッドの位置変化の追従性が良好となり、位置調整の作業が容易となる。
【発明の効果】
【００１０】
本発明によれば、複数の記録ヘッドのキャリッジに対する位置を一括して調整可能であって、その位置調整が容易なインクジェットヘッドを提供することができる。
【図面の簡単な説明】
【００１１】
【図１】本発明の実施の一形態に係るプリンタの斜視図である。
【図２】インクジェットヘッドの斜視図である。
【図３】記録ヘッドを省略したインクジェットヘッドの平面図である。
【図４】インクジェットヘッドの裏面図である。
【図５】ヘッドプレートの回転の様子を示す概念図である。
【図６】調整ねじの操作量と記録ヘッドの位置の変化量との関係を説明するための説明図である。
【発明を実施するための形態】
【００１２】
以下、本発明の実施の一形態について説明する。図１に示すように、本実施形態に係るプリンタ１００はインクジェット式プリンタであって、記録紙１３０を支持するプラテン１０１と、プラテン１０１に設けられたフィードローラ１０２と、フィードローラ１０２の上方に設けられたピンチローラ１０５と、プラテン１０１の上方に配置されたレール１０６と、レール１０６に摺動自在に係合したインクジェットヘッド１と、インクジェットヘッド１に固定されたベルト１０８と、を備えている。プラテン１０１、フィードローラ１０２、ピンチローラ１０５、レール１０６、インクジェットヘッド１、およびベルト１０８は、ケース１１０の内部に配置されている。ケース１１０は、脚１０９によって支持されている。
【００１３】
以下の説明では、プリンタ１００を正面から見たときにプリンタ１００から遠ざかる方、近づく方をそれぞれ前方、後方とする。また、左、右、上、下とは、プリンタ１００を正面から見たときの左、右、上、下をそれぞれ意味するものとする。図面中の符号Ｆ、Ｒｒ、Ｌ、Ｒ、Ｕ、Ｄは、それぞれ前、後、左、右、上、下を意味するものとする。ただし、上記方向は説明の便宜上定めた方向に過ぎず、プリンタ１００の設置態様を何ら限定するものではなく、本発明を何ら限定するものでもない。
【００１４】
レール１０６は左右方向に延びており、インクジェットヘッド１を摺動自在に支持している。ここでは、レール１０６が延びる方向、すなわち左右方向を主走査方向と言い、前後方向を副走査方向と言う。副走査方向は主走査方向と垂直な方向であり、上下方向と垂直な方向である。
【００１５】
図示は省略するが、ケース１１０内の右端部および左端部には、それぞれ駆動プーリおよび従動プーリが配置されている。駆動プーリはモータによって駆動される。ベルト１０８は駆動プーリと従動プーリとに巻かれており、駆動プーリの回転に伴って循環する。これにより、インクジェットヘッド１が主走査方向に移動する。駆動プーリ、従動プーリ、およびベルト１０８は、インクジェットヘッド１に連結されかつインクジェットヘッド１をレール１０６に沿って移動させる駆動装置の一例である。ただし、駆動装置の構成は何ら限定されず、上記構成以外の構成を備えていてもよい。
【００１６】
次に、インクジェットヘッド１について説明する。インクジェットヘッド１は、プラテン１０１の上方に配置されている。図２に示すように、インクジェットヘッド１は、キャリッジ１０と、ヘッドプレート２０と、複数の記録ヘッド３０Ａ〜３０Ｄとを備えている。図１に示すように、キャリッジ１０はレール１０６に摺動自在に係合している。なお、図２では、キャリッジ１０のうちレール１０６と係合している部分の図示は省略している。インクジェットヘッド１は、キャリッジ１０がレール１０６に沿って主走査方向に移動する間に、記録ヘッド３０Ａ〜３０Ｄから記録紙１３０にインクを吐出するように構成されている。なお、記録紙１３０は記録媒体の一例であるが、記録媒体は記録紙１３０に限定されない。
【００１７】
図２に示すようにキャリッジ１０は、鉛直方向に延びる後板１１と、後板１１の左端部に固定された左板１２と、後板１１の右端部に固定された右板１３とを備えている。左板１２および右板１３は、後板１１から前方に延びている。また、キャリッジ１０は、左板１２に固定された左のベースプレート１４Ｌと、右板１３に固定された右のベースプレート１４Ｒとを備えている。ベースプレート１４Ｌおよび１４Ｒは、前後方向に延びており、横断面がＬ型に形成されている。ベースプレート１４Ｌは、鉛直方向に延びる鉛直部１４Ｌａと、水平方向に延びる水平部１４Ｌｂとを有している。ベースプレート１４Ｒは、鉛直方向に延びる鉛直部１４Ｒａと、水平方向に延びる水平部１４Ｒｂとを有している。ここでは、ベースプレート１４Ｌおよび１４Ｒは、板金により形成されている。ただし、ベースプレート１４Ｌおよび１４Ｒの形状および材料は、特に限定される訳ではない。また、本実施形態では、後板１１、左板１２、右板１３、左のベースプレート１４Ｌ、および右のベースプレート１４Ｒは別体に形成され、組み立てられているが、それらの一部または全部は一体的に形成されていてもよい。キャリッジ１０は複数の部材を組み立てることにより構成されていてもよく、単一の部材により構成されていてもよい。
【００１８】
図３に示すように、ヘッドプレート２０は、ベースプレート１４Ｌ，１４Ｒに支持されている。ヘッドプレート２０には、主走査方向に並ぶ複数の開口２１Ａ、２１Ｂ、２１Ｃ、２１Ｄが形成されている。開口２１Ａ〜２１Ｄには、それぞれ記録ヘッド３０Ａ〜３０Ｄが取り付けられる。なお、ここで「記録ヘッド３０Ａ〜３０Ｄが開口２１Ａ〜２１Ｄに取り付けられる」には、記録ヘッド３０Ａ〜３０Ｄが開口２１Ａ〜２１Ｄに嵌め込まれる場合と、記録ヘッド３０Ａ〜３０Ｄが開口２１Ａ〜２１Ｄよりも上方に位置するように設置される場合との両方が含まれる。
【００１９】
図４に示すように、記録ヘッド３０Ａ〜３０Ｄは、副走査方向に並ぶ複数のノズル３１を有している。なお、ノズル３１は微小であるため、図４では複数のノズル３１を直線で表している。記録ヘッド３０Ａ〜３０Ｄのノズル３１は、下方から見たときにそれぞれ開口２１Ａ〜２１Ｄの内側に位置している。
【００２０】
図３に示すように、ヘッドプレート２０の各開口２１Ａ〜２１Ｄの後方には、記録ヘッド３０Ａ〜３０Ｄの後部が押し当てられる第１当接部２２ａが設けられている。各開口２１Ａ〜２１Ｄの右方には、記録ヘッド３０Ａ〜３０Ｄの右部が押し当てられる第２当接部２２ｂおよび第３当接部２２ｃが設けられている。第３当接部２２ｃは第２当接部２２ｂの前方に配置されている。第２当接部２２ｂは記録ヘッド３０Ａ〜３０Ｄの右面の後部に押し当てられ、第３当接部２２ｃは記録ヘッド３０Ａ〜３０Ｄの右面の前部に押し当てられる。これら第１〜第３当接部２２ａ〜２２ｃは、ヘッドプレート２０に対して記録ヘッド３０Ａ〜３０Ｄを位置決めするための部分である。記録ヘッド３０Ａ〜３０Ｄを開口２１Ａ〜２１Ｄに取り付けると共に第１〜第３当接部２２ａ〜２２ｃに押し当てることにより、記録ヘッド３０Ａ〜３０Ｄはヘッドプレート２０の所定の位置に正確に配置されることになる。なお、本実施形態では、当接部の数は３つであるが、その数は特に限定されない。また、当接部の位置も何ら限定されない。また、当接部は必ずしも必要ではなく、省略することも可能である。
【００２１】
開口２１Ａ〜２１Ｄは、前後方向の長さが左右方向の長さよりも長い形状に形成されている。本実施形態では、開口２１Ａ〜２１Ｄは同じ形状かつ同じ大きさに形成されている。ただし、開口２１Ａ〜２１Ｄの形状は互いに異なっていてもよい。また、開口２１Ａ〜２１Ｄの大きさは特に限定されず、開口２１Ａ〜２１Ｄのいずれか一つが他のいずれか一つよりも大きくてもよい。開口２１Ａ〜２１Ｄの位置は特に限定されないが、本実施形態では開口２１Ａ〜２１Ｄは副走査方向に関して揃った位置に配置されている。開口２１Ａ〜２１Ｄの前端は、副走査方向に関して互いに同じ位置にあり、開口２１Ａ〜２１Ｄの後端は、副走査方向に関して互いに同じ位置にある。ただし、開口２１Ａ〜２１Ｄは、副走査方向に関して互いにずれた位置に形成されていてもよい。例えば、開口２１Ａ〜２１Ｄのいずれか一つの前端は、他のいずれか一つの前端よりも後方にあってもよい。開口２１Ａ〜２１Ｄのいずれか一つの後端は、他のいずれか一つの後端よりも前方にあってもよい。
【００２２】
なお、記録ヘッド３０Ａ〜３０Ｄの位置関係についても、上述の開口２１Ａ〜２１Ｄの位置関係と同様である。本実施形態では、記録ヘッド３０Ａ〜３０Ｄは同じ形状かつ同じ大きさに形成されているが、それらの形状または大きさは異なっていてもよい。記録ヘッド３０Ａ〜３０Ｄは副走査方向に関して互いに揃った位置に配置されているが、それらは副走査方向に関して互いにずれた位置に配置されていてもよい。
【００２３】
図３に示すように、右のベースプレート１４Ｒには、ヘッドプレート２０を回転自在に支持する回転軸５５が設けられている。回転軸５５はベースプレート１４Ｒの水平部１４Ｒｂから上方に延びており、ベースプレート１４Ｒとヘッドプレート２０との間に介在している。回転軸５５を中心にヘッドプレート２０を回転させることにより、ヘッドプレート２０とベースプレート１４Ｒとの相対的な位置を変更することができる。すなわち、ヘッドプレート２０の開口２１Ａ〜２１Ｄの配列方向（図３の一点鎖線２１Ｌ参照。なお、開口２１Ａ〜２１Ｄの配列方向は記録ヘッド３０Ａ〜３０Ｄの配列方向でもある。）と主走査方向との角度を変更することができる。回転軸５５はベースプレート１４Ｒおよびヘッドプレート２０のいずれか一方と一体化されていてもよく、それらの両方と別体であってもよい。本実施形態では、回転軸５５はベースプレート１４Ｒに一体的に形成されている。
【００２４】
回転軸５５は、開口２１Ａ〜２１Ｄのうち最も前方に位置する部分よりも後方に配置され、かつ、開口２１Ａ〜２１Ｄのうち最も後方に位置する部分よりも前方に配置されている。前述したように、本実施形態では開口２１Ａ〜２１Ｄは副走査方向に関して揃った位置に配置されているので、回転軸５５は各開口２１Ａ〜２１Ｄの前端よりも後方に配置され、かつ、各開口２１Ａ〜２１Ｄの後端よりも前方に配置されている。また、回転軸５５は、各記録ヘッド３０Ａ〜３０Ｄの前端よりも後方、かつ、各記録ヘッド３０Ａ〜３０Ｄの後端よりも前方に配置されている。
【００２５】
また、回転軸５５は、複数の開口２１Ａ〜２１Ｄのうち主走査方向の最も一端側に位置する開口２１Ｄよりも前記一端側に配置されている。本実施形態では、回転軸５５は、開口２１Ａ〜２１Ｄのうち最も右方に位置する開口２１Ｄよりも右方に配置されている。言い換えると、回転軸５５は、全ての開口２１Ａ〜２１Ｄよりも右方に配置されている。ただし、回転軸５５の位置は上述の位置に限定される訳ではない。
【００２６】
ヘッドプレート２０の左端部には、右方に凹んだ凹部２３が形成されている。凹部２３の前方には、前後方向に延びるねじ孔３４が形成されている。ねじ孔３４には、調整ねじ２５が挿入されている。ねじ孔３４の内周面には螺旋溝が形成され、調整ねじ２５の外周面には、ねじ孔３４の上記螺旋溝に係合する螺旋溝が形成されている。調整ねじ２５の先端部（言い換えると後端部）はねじ孔３４から突出している。調整ねじ２５の根元部（言い換えると前端部）には、図示しないドライバーが係合する＋または−の溝（図示せず）が形成されている。なお、この溝は、調整ねじ２５を回転させる工具と係合する係合部の一例であるが、工具はドライバーに限定されない。係合部は工具と係合するものであればよく、上記溝に限定されない。
【００２７】
左のベースプレート１４Ｌには、当接部材１５が固定されている。なお、当接部材１５はベースプレート１４Ｌの水平部１４Ｌｂおよび鉛直部１４Ｌａのいずれに固定されていてもよい。当接部材１５はベースプレート１４Ｌと別体であってもよく、一体であってもよい。当接部材１５の少なくとも一部は、上方から見てヘッドプレート２０の凹部２３の内側に配置されている。当接部材１５は、調整ねじ２５の後方に位置する当接板１６を備えている。調整ねじ２５はねじ孔３４から当接板１６に向けて突出しており、当接板１６の前面は調整ねじ２５が当接する当接面１６ａとなっている。当接面１６ａの裏面、すなわち当接板１６の後面からは、第１の軸１７が突出している。
【００２８】
ヘッドプレート２０のうち第１の軸１７と対向する部分には、第１の軸１７に向けて延びる第２の軸１８が設けられている。第２の軸１８は第１の軸１７の後方に配置されている。第１の軸１７および第２の軸１８は、前後方向に延びている。
【００２９】
第１の軸１７と第２の軸１８とには、コイルばね１９が取り付けられている。コイルばね１９は第１の軸１７と第２の軸１８との間に介在している。コイルばね１９は、自然長よりも圧縮された状態になっており、いわゆる圧縮ばねとして機能する。コイルばね１９は、第１の軸１７と第２の軸１８とを互いに離れる方向に付勢している。ヘッドプレート２０は回転軸５５を中心として回転可能であるので、コイルばね１９はヘッドプレート２０を上方から見て時計回りの方向に付勢している。時計回りの方向は、調整ねじ２５が当接板１６に近づく方向である。よって、コイルばね１９は、ねじ孔３４に挿入された調整ねじ２５が当接部材１５に当接するようにヘッドプレート２０を付勢している。コイルばね１９により、調整ねじ２５は当接部材１５に常時当接するようになっている。なお、コイルばね１９は、調整ねじ２５が当接部材１５に当接するようにヘッドプレート２０を付勢するばねの一例であるが、当該ばねはコイルばね１９に限定されない。トーションばねなどの他の種類のばねを用いることも勿論可能である。また、第１の軸１７および第２の軸１８は必ずしも必要ではなく、コイルばね１９をベースプレート１４Ｌの他の部分およびヘッドプレート２０の他の部分に取り付けることにより、省略することが可能である。
【００３０】
調整ねじ２５は、開口２１Ａ〜２１Ｄおよび記録ヘッド３０Ａ〜３０Ｄの左方に配置されている。開口２１Ａ〜２１Ｄおよび記録ヘッド３０Ａ〜３０Ｄは、主走査方向に関して、回転軸５５と調整ねじ２５との間に配置されている。主走査方向から見て、回転軸５５および調整ねじ２５は、開口２１Ａ〜２１Ｄの一部および記録ヘッド３０Ａ〜３０Ｄの一部と重なる位置に配置されている。また、本実施形態では、調整ねじ２５の一部は、回転軸５５と副走査方向に関して揃った位置に配置されている。すなわち、調整ねじ２５の一部は、回転軸５５の前端よりも後方かつ後端よりも前方に配置されている。ただし、これに限られない。調整ねじ２５の全体が回転軸５５の前端よりも前方に配置されていてもよく、回転軸５５の後端よりも後方に配置されていてもよい。
【００３１】
調整ねじ２５の少なくとも一部は、開口２１Ａ〜２１Ｄのうち最も副走査方向の一端側に位置する部分よりも他端側に配置され、かつ、開口２１Ａ〜２１Ｄのうち最も副走査方向の他端側に位置する部分よりも一端側に配置されている。前述の通り、本実施形態では開口２１Ａ〜２１Ｄは、副走査方向に関して揃った位置に配置されている。そのため、調整ねじ２５の少なくとも一部は、各開口２１Ａ〜２１Ｄの前端よりも後方、かつ、各開口２１Ａ〜２１Ｄの後端よりも前方に配置されている。同様に、調整ねじ２５の少なくとも一部は、複数の記録ヘッド３０Ａ〜３０Ｄのうち最も副走査方向の一端側に位置する部分よりも他端側に配置され、かつ、複数の記録ヘッド３０Ａ〜３０Ｄのうち最も副走査方向の他端側に位置する部分よりも一端側に配置されている。調整ねじ２５の少なくとも一部は、各記録ヘッド３０Ａ〜３０Ｄの前端よりも後方、かつ、後端よりも前方に配置されている。
【００３２】
ヘッドプレート２０には、第１〜第４の孔４１〜４４が形成されている。これら第１〜第４の孔４１〜４４は、ヘッドプレート２０の四隅部に形成されている。詳しくは、第１の孔４１は、開口２１Ａ〜２１Ｄのうち主走査方向の最も一端側の端部よりも一端側、かつ、開口２１Ａ〜２１Ｄのうち副走査方向の最も一端側の端部よりも一端側に位置している。第２の孔４２は、開口２１Ａ〜２１Ｄのうち主走査方向の最も他端側の端部よりも他端側、かつ、開口２１Ａ〜２１Ｄのうち副走査方向の最も一端側の端部よりも一端側に位置している。第３の孔４３は、開口２１Ａ〜２１Ｄのうち主走査方向の最も一端側の端部よりも一端側、かつ、開口２１Ａ〜２１Ｄのうち副走査方向の最も他端側の端部よりも他端側に位置している。第４の孔４４は、開口２１Ａ〜２１Ｄのうち主走査方向の最も他端側の端部よりも他端側、かつ、開口２１Ａ〜２１Ｄのうち副走査方向の最も他端側の端部よりも他端側に位置している。前述の通り、本実施形態では開口２１Ａ〜２１Ｄは、副走査方向に関して揃った位置に配置されている。そのため、第１の孔４１は、最も左方に位置する開口２１Ａよりも左方、かつ、開口２１Ａ〜２１Ｄの前端よりも前方に位置している。第２の孔４２は、最も右方に位置する開口２１Ｄよりも右方、かつ、開口２１Ａ〜２１Ｄの前端よりも前方に位置している。第３の孔４３は、最も左方に位置する開口２１Ａよりも左方、かつ、開口２１Ａ〜２１Ｄの後端よりも後方に位置している。第４の孔４４は、最も右方に位置する開口２１Ｄよりも右方、かつ、開口２１Ａ〜２１Ｄの後端よりも後方に位置している。第１の孔４１および第３の孔４３は、前後に細長い長孔となっている。第２の孔４２および第４の孔４４は円孔となっている。ただし、これに限らず、第１〜第４の孔４１〜４４のうち任意の２つを長孔とし、他の２つを円孔としてもよい。
【００３３】
ベースプレート１４Ｌおよび１４Ｒには、ヘッドプレート２０の第１〜第４の孔４１〜４４に対応する第５〜第８の孔４５〜４８が形成されている。第５の孔４５、第７の孔４７は、左のベースプレート１４Ｌの前端部、後端部にそれぞれ形成されている。第６の孔４６、第８の孔４８は、右のベースプレート１４Ｒの前端部、後端部にそれぞれ形成されている。第５〜第８の孔４５〜４８は円孔からなっている。なお、本実施形態では第１〜第８の孔４１〜４８のうち、第１の孔４１および第３の孔４３を長孔としたが、それに限らず、互いに重ね合わされない任意の２つを長孔としてもよい。
【００３４】
次に、記録ヘッド３０Ａ〜３０Ｄの位置の調整方法について説明する。記録ヘッド３０Ａ〜３０Ｄの位置調整は、調整ねじ２５を回転させることによって行う。本実施形態では、調整ねじ２５を時計回りの方向に回転させると、調整ねじ２５のねじ孔３４からの突出量が増え、ヘッドプレート２０は上方から見て回転軸５５を中心として反時計回りの方向に回転する。逆に、調整ねじ２５を反時計回りの方向に回転させると、調整ねじ２５のねじ孔３４からの突出量が減り、ヘッドプレート２０は上方から見て回転軸５５を中心として時計回りの方向に回転する。これにより、主走査方向に対する記録ヘッド３０Ａ〜３０Ｄの配列方向２１Ｌの傾きが調整される。なお、調整ねじ２５を回転させている間、ヘッドプレート２０はコイルばね１９に付勢され、調整ねじ２５は当接部材１５に常に当接しているので、ヘッドプレート２０の位置が不安定に変動することはない。そのため、記録ヘッド３０Ａ〜３０Ｄの位置を安定して調整することができる。
【００３５】
ヘッドプレート２０をベースプレート１４Ｒに対して位置決めした後、第１の孔４１と第５の孔４５、第２の孔４２と第６の孔４６、第３の孔４３と第７の孔４７、および第４の孔４４と第８の孔４８に、それぞれビス５０を締結する。これにより、ヘッドプレート２０がベースプレート１４Ｌ，１４Ｒに固定される。その結果、ヘッドプレート２０に固定された記録ヘッド３０Ａ〜３０Ｄが、キャリッジ１０に対して固定される。
【００３６】
図５に示すように、ヘッドプレート２０は回転軸５５の軸心５５ｃを中心とする円弧６１に沿って回転するが、調整ねじ２５の軸線２５ｃはその円弧６１に対する接線となる。本実施形態によれば、回転軸５５および調整ねじ２５は、各開口２１Ａ〜２１Ｄの前端よりも後方かつ後端よりも前方に配置されている。そのため、調整ねじ２５の操作量に対する記録ヘッド３０Ａ〜３０Ｄの位置の変化量は、記録ヘッド３０Ａ〜３０Ｄの回転位置によって大きく異ならない。図６に示すように、例えば、調整ねじ２５を操作量Ａ１だけ操作した場合の記録ヘッド３０の中心位置３０ｃの変化量をＢ１、操作量Ａ２だけ操作した場合の中心位置３０ｃの変化量をＢ２とした場合、それらの比率、すなわちＢ１／Ａ１とＢ２／Ａ１とは大きく異ならない。したがって、本実施形態によれば、調整ねじ２５の操作に対する記録ヘッド３０Ａ〜３０Ｄの位置変化の追従性が良好となる。よって、位置調整の作業を従来よりも容易化することができる。
【００３７】
また、本実施形態によれば、開口２１Ａ〜２１Ｄは副走査方向に関して揃った位置に配置されている。このことにより、開口２１Ａ〜２１Ｄが副走査方向に関して不揃いの位置に配置されている場合に比べて、調整ねじ２５の操作に対する記録ヘッド３０Ａ〜３０Ｄの位置変化を均一化することができる。よって、調整ねじ２５の操作に対する記録ヘッド３０Ａ〜３０Ｄの位置変化の追従性を更に高めることができ、位置調整の作業を容易化することができる。
【００３８】
回転軸５５は開口２１Ａ〜２１Ｄのうち隣り合う２つの開口の間に設けられていてもよいが、本実施形態では、最も右方に位置する開口２１Ｄの右方に配置されている。そのため、２つの開口の間に回転軸５５を設けるスペースを確保する必要がなく、隣り合う２つの開口の距離を短くすることができる。よって、記録ヘッド３０Ａ〜３０Ｄを互いに近接した位置に配置することができ、インクジェットヘッド１を小型化することができる。
【００３９】
また、調整ねじ２５は開口２１Ａ〜２１Ｄのうち隣り合う２つの開口の間に設けられていてもよいが、本実施形態では、最も左方に位置する開口２１Ａよりも左方に配置されている。開口２１Ａ〜２１Ｄは、主走査方向に関して、回転軸５５と調整ねじ２５との間に配置されている。そのため、２つの開口の間に調整ねじ２５を設けるスペースを確保する必要がなく、隣り合う２つの開口の距離を短くすることができる。よって、記録ヘッド３０Ａ〜３０Ｄを互いに近接した位置に配置することができ、インクジェットヘッド１を小型化することができる。
【００４０】
また、本実施形態によれば、調整ねじ２５が当接部材１５に常に当接するようにヘッドプレート２０を付勢するばね（コイルばね１９）を備えている。調整ねじ２５は当接部材１５に常に当接しているので、調整ねじ２５を操作する際にヘッドプレート２０の位置が変動してしまうことを防止することができる。よって、記録ヘッド３０Ａ〜３０Ｄの位置の調整作業を安定して行うことができる。
【００４１】
本実施形態によれば、当接部材１５に備えられた第１の軸１７と、ヘッドプレート２０に設けられた第２の軸１８とを備え、前記ばねは第１の軸１７および第２の軸１８に取り付けられたコイルばね１９からなっている。このような構成により、コイルばね１９を所定の位置に安定して配置することができる。よって、調整ねじ２５を当接部材１５に安定して当接させることができる。
【００４２】
また、本実施形態によれば、ヘッドプレート２０とベースプレート１４Ｌ，１４Ｒとは、第１〜第４の孔４１〜４４に挿入されたビス５０によって固定される。第１〜第４の孔４１〜４４はヘッドプレート２０の四隅部に形成されている。すなわち、第１の孔４１、第２の孔４２、第３の孔４３、第４の孔４４は、それぞれ開口２１Ａ〜２１Ｄの左斜め前方、右斜め前方、左斜め後方、右斜め後方に形成されている。これにより、ヘッドプレート２０をベースプレート１４Ｌ，１４Ｒに安定して固定することができる。また、ヘッドプレート２０の経年的な位置ずれをより確実に防止することができる。
【００４３】
以上、本発明の実施の一形態について説明してきたが、前記実施形態は一例に過ぎず、本発明は他に種々の形態にて実施することができる。
【００４４】
前記実施形態では、回転軸５５、調整ねじ２５は、それぞれ開口２１Ａ〜２１Ｄの右方、左方に配置されていたが、それらは逆であってもよい。すなわち、回転軸５５、調整ねじ２５は、それぞれ開口２１Ａ〜２１Ｄの左方、右方に配置されていてもよい。
【００４５】
前記実施形態では、回転軸５５の全部および調整ねじ２５の全部が、開口２１Ａ〜２１Ｄの前端よりも後方かつ後端よりも前方に配置されている。しかし、回転軸５５の一部が開口２１Ａ〜２１Ｄの前端よりも後方かつ後端よりも前方に配置されていてもよく、調整ねじ２５の一部が開口２１Ａ〜２１Ｄの前端よりも後方かつ後端よりも前方に配置されていてもよい。
【００４６】
前記実施形態では、第１〜第４の孔４１〜４４にビス５０が挿入され、ヘッドプレート２０とベースプレート１４Ｌ，１４Ｒとはビス５０によって固定されている。しかし、ヘッドプレート２０とベースプレート１４Ｌ，１４Ｒとを固定する固定具はビス５０に限られない。第１〜第４の孔４１〜４４には、ねじ、ボルト、ピン等の他の固定具が挿入され、ヘッドプレート２０とベースプレート１４Ｌ，１４Ｒとは他の固定具によって固定されていてもよい。
【００４７】
前記実施形態では、調整ねじ２５およびねじ孔３４は、調整ねじ２５が進行方向（後方）に向かって時計回りに回転することにより調整ねじ２５の突出量が増え、反時計回りに回転することにより調整ねじ２５の突出量が減るように構成されていたが、それらは逆であってもよい。すなわち、調整ねじ２５が進行方向（後方）に向かって反時計回りに回転することにより調整ねじ２５の突出量が増え、時計回りに回転することにより調整ねじ２５の突出量が減るように構成されていてもよい。
【００４８】
前記実施形態では、調整ねじ２５はヘッドプレート２０に取り付けられ、当接部材１５はベースプレート１４Ｌに固定されていたが、それらは逆であってもよい。すなわち、調整ねじ２５がベースプレート１４Ｌに取り付けられ、当接部材１５がヘッドプレート２０に固定されていてもよい。なお、当接部材１５はベースプレート１４Ｌまたはヘッドプレート２０と別体であってもよいが、一体であってもよい。
【００４９】
記録ヘッド３０Ａ〜３０Ｄは、同一の色のインクを吐出するものであってもよく、互いに異なる色のインクを吐出するものであってもよい。
【００５０】
前記実施形態ではヘッドプレート２０の開口の数は４つであったが、開口の数は特に限定されない。開口の数は２または３であってもよく、５以上であってもよい。また、開口の数に応じて、記録ヘッドの数を変更することができる。記録ヘッドの数は４つに限られない。
【００５１】
前記実施形態および前述の他の実施形態は、適宜に組み合わせてもよい。
【符号の説明】
【００５２】
１                              インクジェットヘッド
１０                            キャリッジ
１４Ｌ，１４Ｒ                  ベースプレート
２０                            ヘッドプレート
２１Ａ、２１Ｂ、２１Ｃ、２０Ｄ  開口
２５                            調整ねじ
３０Ａ、３０Ｂ、３０Ｃ、３０Ｄ  記録ヘッド
３１                            ノズル
５５                            回転軸
１００  プリンタ
【要約】
【課題】複数の記録ヘッドのキャリッジに対する位置を一括して調整可能であって、その位置調整が容易なインクジェットヘッドを提供する。
【解決手段】インクジェットヘッド１は、ベースプレート１４Ｌおよび１４Ｒを有するキャリッジ１０と、ベースプレート１４Ｌおよび１４Ｒに支持されたヘッドプレート２０と、ヘッドプレート２０の開口２１Ａ〜２１Ｄに取り付けられた記録ヘッド３０Ａ〜３０Ｄと、ヘッドプレート２０をベースプレート１４Ｒに回転自在に支持する回転軸５５と、記録ヘッド３０Ａ〜３０Ｄのベースプレート１４Ｒに対する位置を調整する調整ねじ２５と、を備えている。回転軸５５の少なくとも一部および調整ねじ２５の少なくとも一部は、開口２１Ａ〜２１Ｄの前端よりも後方かつ後端よりも前方に配置されている。
【選択図】図３【図１】
0005980392.tif 000002
【図２】
0005980392.tif 000003
【図３】
0005980392.tif 000004
【図４】
0005980392.tif 000005
【図５】
0005980392.tif 000006
【図６】
0005980392.tif 000007